(57)【特許請求の範囲】
【請求項１】
所定のレンズ群を光軸に沿う撮像位置と光軸から外れる退避位置との間で移動させるレンズ収納機構であって、
スライドガイド部を有する本体部と、
前記本体部に対して接離する接離方向に沿って移動すると共に、光軸に沿う光を通過させる中心孔を有するレンズ群支持枠と、
前記レンズ群支持枠よりも前記本体部に近接する側に設けられ、前記所定のレンズ群を支持すると共に、摺動部を有するレンズ群固定枠と、
前記レンズ群支持枠に取り付けられると共に、前記レンズ群固定枠の摺動をガイドするガイド部材と、
前記レンズ群支持枠から前記本体部側に向かって突出し、前記レンズ群支持枠のうち前記中心孔を挟んで前記退避位置から離間する側に設けられると共に、第一案内部を備える第一移動支持部材と、
前記第一移動支持部材が近接してくる場合には前記第一案内部に当接する当接部を有し、前記摺動部に摺動可能な第二案内部を有すると共に、前記スライドガイド部によって前記撮像位置と前記退避位置とを結ぶ退避移動方向に沿う移動がガイドされる第二移動支持部材と、
を有し、
前記レンズ群支持枠が前記本体部に向かって移動する場合には、前記当接部が前記第一案内部に摺動することによって、前記第二移動支持部材が前記スライドガイド部によりガイドされつつ前記退避位置に向かって移動させられると共に、
前記当接部が前記第一案内部に当接するのに前後して前記摺動部が前記第二案内部に当接し、前記第二移動支持部材が前記退避位置に向かって移動するのにつれて、前記摺動部が前記第二案内部に摺動することによって、前記レンズ群固定枠が前記退避位置に向かって移動させられる、
ことを特徴とするレンズ収納機構。
【請求項２】
請求項１記載のレンズ収納機構であって、
前記第一案内部は、前記退避位置側に向かうにつれて前記本体部から離間する側に向かうように傾斜する第一傾斜部であり、
前記第二案内部は、前記退避位置側に向かうにつれて前記本体部に向かうように傾斜する第二傾斜部であり、
前記ガイド部材は一対のガイド軸であり、
前記摺動部は、前記レンズ群固定枠の側方から離間する向きに向かって突出すると共に前記ガイド軸によってガイドされる一対の外方突出部のうち一方側の先端部分に存在する摺動軸部である、
ことを特徴とするレンズ収納機構。
【請求項３】
請求項２記載のレンズ収納機構であって、
前記第一移動支持部材の前記退避位置側には、前記第一傾斜部に隣接して前記接離方向に沿う第一垂直部が設けられていて、
前記第二移動支持部材の前記退避位置から離間する側には、前記接離方向に沿う第二垂直部が設けられていると共に、前記退避位置側には前記接離方向に沿う第三垂直部が設けられている、
ことを特徴とするレンズ収納機構。
【請求項４】
請求項１から３のいずれか１項に記載のレンズ収納機構であって、
前記第二移動支持部材には、第一の付勢手段によって前記退避位置から離間する向きの付勢力が与えられると共に、
前記レンズ群固定枠には、第二の付勢手段によって前記退避位置から離間する向きの付勢力が与えられる、
ことを特徴とするレンズ収納機構。
【請求項５】
請求項１から４のいずれか１項に記載のレンズ収納機構を具備することを特徴とする光学撮像装置。
【発明の詳細な説明】
【技術分野】
【０００１】
本発明は、レンズ収納機構およびそれを用いた光学撮像装置に関する。
【背景技術】
【０００２】
デジタルカメラやデジタルビデオカメラのような光学系の機器においては、たとえば特許文献１に示すように、レンズ収納機構の小型化を図るべく、非撮影時には第二レンズ群を光路内に配置した状態から、光路外に退避させるものが知られている。この特許文献１には、駆動ギア１０２が当接部１０１に当接することにより、時計回りに回動させられ、その回動している駆動ギア１０２がギア部１０３と噛み合う。それにより、駆動レバー１０４が反時計回りに回動させられる。ここで、駆動レバー１０４の係合孔１０４ａには、第二レンズ枠３の軸部３３が係合している。そのため、駆動レバー１０４の反時計回りの回動に伴って、第二レンズ枠３が光路外の位置に退避させられる。
【先行技術文献】
【特許文献】
【０００３】
【特許文献１】特開２００５−１８９５１６号公報
【発明の概要】
【発明が解決しようとする課題】
【０００４】
特許文献１に開示されている構成では、第二レンズ枠３を退避させるために、当接部１０１、駆動ギア１０２、ギア部１０３を有する駆動レバー１０４、バネ１０３ａ、取付レバー１０５等を有している。また、駆動ギア１０２や駆動レバー１０４が回動する支点となる回動軸を設ける必要もある。そのため、特許文献１に開示の構成では、構成が複雑なものとなってしまう。
【０００５】
本発明は、かかる問題に鑑みてなされたものであり、その目的とするところは、構成が単純でありながらも、第二レンズ群を退避させることが可能なレンズ収納機構およびそれを用いた光学撮像装置を提供しようとするものである。
【課題を解決するための手段】
【０００６】
上記課題を解決するために、本発明のレンズ収納機構の第一の側面は、所定のレンズ群を光軸に沿う撮像位置と光軸から外れる退避位置との間で移動させるレンズ収納機構であって、スライドガイド部を有する本体部と、本体部に対して接離する接離方向に沿って移動すると共に、光軸に沿う光を通過させる中心孔を有するレンズ群支持枠と、レンズ群支持枠よりも本体部に近接する側に設けられ、所定のレンズ群を支持すると共に、摺動部を有するレンズ群固定枠と、レンズ群支持枠に取り付けられると共に、レンズ群固定枠の摺動をガイドするガイド部材と、レンズ群支持枠から本体部側に向かって突出し、レンズ群支持枠のうち中心孔を挟んで退避位置から離間する側に設けられると共に、第一案内部を備える第一移動支持部材と、第一移動支持部材が近接してくる場合には第一案内部に当接する当接部を有し、摺動部に摺動可能な第二案内部を有すると共に、スライドガイド部によって撮像位置と退避位置とを結ぶ退避移動方向に沿う移動がガイドされる第二移動支持部材と、を有し、レンズ群支持枠が本体部に向かって移動する場合には、当接部が第一案内部に摺動することによって、第二移動支持部材がスライドガイド部によりガイドされつつ退避位置に向かって移動させられると共に、当接部が第一案内部に当接するのに前後して摺動部が第二案内部に当接し、第二移動支持部材が退避位置に向かって移動するのにつれて、摺動部が第二案内部に摺動することによって、レンズ群固定枠が前記退避位置に向かって移動させられる、ものである。
【０００７】
また、本発明のレンズ収納機構の他の側面は、上述の発明に加えて更に、第一案内部は、退避位置側に向かうにつれて本体部から離間する側に向かうように傾斜する第一傾斜部であり、第二案内部は、退避位置側に向かうにつれて本体部に向かうように傾斜する第二傾斜部であり、ガイド部材は一対のガイド軸であり、摺動部は、レンズ群固定枠の側方から離間する向きに向かって突出すると共にガイド軸によってガイドされる一対の外方突出部のうち一方側の先端部分に存在する摺動軸部である、ことが好ましい。
【０００８】
さらに、本発明のレンズ収納機構の他の側面は、上述の発明に加えて更に、第一移動支持部材の退避位置側には、第一傾斜部に隣接して接離方向に沿う第一垂直部が設けられていて、第二移動支持部材の退避位置から離間する側には、接離方向に沿う第二垂直部が設けられていると共に、退避位置側には接離方向に沿う第三垂直部が設けられている、ことが好ましい。
【０００９】
また、本発明のレンズ収納機構の他の側面は、上述の各発明に加えて更に、第二移動支持部材には、第一の付勢手段によって退避位置から離間する向きの付勢力が与えられると共に、レンズ群固定枠には、第二の付勢手段によって退避位置から離間する向きの付勢力が与えられる、ことが好ましい。
【００１０】
また、本発明の他の側面である光学撮像装置は、上述の各発明に係るレンズ収納機構を具備することが好ましい。
【発明の効果】
【００１１】
本発明によると、構成が単純でありながらも、第二レンズ群を退避させることが可能となる。
【図面の簡単な説明】
【００１２】
【図１】本発明の一実施の形態に係るレンズ収納機構の構成を示す側断面図であり、各筒が飛び出した状態を示す図である。
【図２】レンズ収納機構の構成を示す側断面図であり、各筒が収納されている状態を示す図である。
【図３】レンズ収納機構のうち、スライドガイド部付近の構成を示す側断面図である。
【図４】第二レンズ群退避機構の構成を示す側断面図であり、図５のＡ−Ａ線に沿って切断したものを示す図である。
【図５】第二レンズ群退避機構の構成を示す図であり、後方側から前方側を見た状態を示す図である。
【図６】第二レンズ群退避機構の構成を示す側断面図であり、図５のＢ−Ｂ線に沿って切断したものを示す図である。
【図７】第二レンズ群退避機構の構成を示す側断面図であり、第二レンズ群が撮像位置に位置する状態を示す側断面図である。
【図８】第二レンズ群退避機構の動作の様子を示す図であり、（Ａ）は第二レンズ群が撮像位置に位置している状態を示し、（Ｂ）は第二レンズ群の退避位置に向けた移動が開始された状態を示し、（Ｃ）は第二レンズ群が移動して中心孔から見えなくなった状態を示す図である。
【図９】第二レンズ群退避機構の動作の様子を示す図であり、（Ａ）は第一傾斜部と第三傾斜部とが当接している状態を示し、（Ｂ）は各筒が完全に収納された状態を示す図である。
【図１０】比較例に係る第二レンズ群退避機構の動作の様子を示す図であり、（Ａ）は図８（Ａ）に対応する状態を示し、（Ｂ）は図８（Ｂ）に対応する状態を示し、（Ｃ）は図８（Ｃ）に対応する状態を示す図である。
【図１１】比較例に係る第二レンズ群退避機構の動作の様子を示す図であり、（Ａ）は図９（Ａ）に対応する状態を示し、（Ｂ）は図９（Ｂ）に対応する状態を示す図である。
【発明を実施するための形態】
【００１３】
以下、本発明の一実施の形態に係るレンズ収納機構１０およびこのレンズ収納機構１０を用いた光学撮像装置１１について、図面を参照しながら説明する。なお、以下の説明においては、図１において撮像部９０に対して第一レンズ群が接離する方向を前後方向とし、撮像部９０から第一レンズ群に向かう側を前方側とし、それとは逆側を後方側として説明する。
【００１４】
図１および図３に示すように、レンズ収納機構１０は、本体部２０と、固定筒３０と、第一直進筒４０と、カム筒５０と、回転筒６０と、第二直進筒７０と、第一レンズ枠８０と、第二レンズ群退避機構１００とを具備している。また、これらのレンズ収納機構１０は、撮像部９０を具備する光学撮像装置１１に取り付けられている。
【００１５】
本体部２０は、撮像部９０を不図示の保持機構によって保持している。この本体部２０からは、図３に示すように、スライドガイド部２１が突出している。スライドガイド部２１は、後述する第二移動支持部材１１８のスライドをガイドするものであり、かかるスライドを良好にガイドするためにスライドガイド部２１は立設部２１１と、第一嵌合部２１２と、第二嵌合部２１３とを有している。立設部２１１は、本体部２０から左側に向かって突出する部分である。そして、この立設部２１１のうち図３における左側端側に、第二嵌合部２１３が設けられている。また、第一嵌合部２１２は、立設部２１１の本体部２０側の付け根付近に設けられている。この第一嵌合部２１２には、立設部２１１と対向するように凸状のレール部２１２ａが設けられていて、このレール部２１２ａと立設部２１１とで鉤状をなしている。そして、このレール部２１２ａは、後述する第二移動支持部材１１８の第一窪み部１１８ａ１に嵌まり込む。また、第二嵌合部２１３にも、凸状のレール部２１３ａが設けられていて、このレール部２１３ａが第二移動支持部材１１８の第二窪み部に嵌まり込む。
【００１６】
なお、本体部２０の不図示の保持機構に保持される撮像部９０は、たとえばＣＣＤやＣＭＯＳといった受光素子９１を有している。そして、後述する第一レンズ群Ｌｎ１、第二レンズ群Ｌｎ２、第三レンズ群Ｌｎ３を通過した光は、この受光素子９１で受光される。また、第三レンズ群Ｌｎ３は、第三レンズ保持枠２５に取り付けられているが、この第三レンズ保持枠２５は、不図示の駆動機構によって、第一直進筒４０の駆動と連動して光軸方向に移動する。なお、第二レンズ群Ｌｎ２は、請求項でいうレンズ群の一例に対応する。
【００１７】
図１および図２に示すように、固定筒３０は、本体部２０に対して移動しない状態に設けられている。この固定筒３０は、図２に示すように、収納状態（Ｐａｒｋ状態）において、第一直進筒４０、カム筒５０、回転筒６０、第二直進筒７０、および第一レンズ枠８０を内部に収納することを可能としている。
【００１８】
また、固定筒３０の内周面には不図示のヘリコイド谷部が形成されていると共に、このヘリコイド谷部はカム筒５０の突出部５１と噛み合う。それにより、カム筒５０が不図示のモータによって回転駆動させられると、カム筒５０が回転しながら前後方向に移動することを可能としている。また、固定筒３０の内周面には、ヘリコイド谷部とは別に、前後方向に沿うと共に溝状の固定筒直進溝３１が、光軸方向に対して平行となるように形成されている。この固定筒直進溝３１には、第一直進筒４０の係合突起４１が入り込む。それにより、第一直進筒４０は固定筒３０に対して回転せずに、前後方向に移動可能となる。また、この固定筒直進溝３１には、位置決め部材１１３の筒係合部１１３ｃが入り込む。それにより、後述する置決め部材１１３が固定筒３０に対して回転するのが阻止され、位置決め部材１１３を介して第二レンズ群支持枠１１０が固定筒３０に対して回転するのが阻止される。
【００１９】
また、第一直進筒４０は、固定筒３０の内周側に位置すると共に、カム筒５０の外周側に位置する筒状部材である。この第一直進筒４０の外周面には、係合突起４１が設けられていて、この係合突起４１は上述の固定筒直進溝３１に入り込むことによって前後方向に移動させられる。また、第一直進筒４０の内周面には、カム溝４２が形成されていて、このカム溝４２には、回転筒６０のカムピン６２が入り込む。それにより、回転筒６０は、回転しながら前後方向に移動する。さらに、第一直進筒４０の内周面には、前後方向に沿ってキー溝４３が設けられていて、このキー溝４３には後述する係合キー７１が入り込む。なお、第一直進筒４０の後方側の外周面には、嵌合部４４が設けられている。
【００２０】
また、カム筒５０は、第一直進筒４０の内周側に位置すると共に、後述する位置決め部材１１３および第二レンズ群支持枠１１０の外周側に位置する筒状部材である。このカム筒５０には、たとえば内周側または外周側の所定位置に、ギヤ部が設けられていて、このギヤ部が不図示のモータの回転ギヤと噛み合うことにより、回転させられる。上述したように、カム筒５０の外周側には、突出部５１が設けられていて、この突出部５１は固定筒３０のヘリコイド谷部と噛み合う。それにより、カム筒５０がモータの駆動によって回転させられると、その回転に伴って当該カム筒５０が前後方向に移動させられる。
【００２１】
このカム筒５０のうち、後方側の端部には、フランジ部５２が設けられている。フランジ部５２は、カム筒５０のうち径方向の外方側に最も突出する部分となっている。そして、このフランジ部５２のうち径方向の外方側かつ前方側の部位には、噛合部５３が設けられている。噛合部５３は、第一直進筒４０の嵌合部４４と噛み合って、第一直進筒４０とカム筒５０の間の前後方向における移動を規制している。ただし、噛合部５３に対して嵌合部４４は回転自在に設けられている。すなわち、第一直進筒４０は、カム筒５０に対して前後方向の移動は規制される。しかしながら、第一直進筒４０に対して、カム筒５０の回転は規制されない状態となっている。
【００２２】
また、カム筒５０の内周面には、カム溝５４が形成されている。このカム溝５４は、後述する第二レンズ群支持枠１１０の突出ピンと噛み合う。それにより、カム筒５０が回転させられると、第二レンズ群支持枠１１０が前後方向に移動する。また、カム筒５０の外周面には、前後方向に沿うキー溝５５が設けられている。
【００２３】
また、回転筒６０は、第二直進筒７０の内周側に位置すると共に、カム筒５０の外側に位置する筒状部材である。この回転筒６０の内周側には、キー６１が設けられている。このキー６１は、上述のキー溝５５に入り込む。それにより、回転筒６０はカム筒５０の回転に伴って回転する。また、回転筒６０の後端側における外周面からは、径方向外方側に向かってカムピン６２が突出している。カムピン６２は、第一直進筒４０のカム溝４２に入り込む部材である。そのため、カム筒５０と共に回転筒６０が回転すると、カムピン６２がカム溝４２に沿って移動することにより、回転筒６０が回転しながら前後方向に移動する。
【００２４】
また、回転筒６０の外周面のうちカムピン６２よりも前方側の部位には、ヘリコイド谷部６３が形成されていて、このヘリコイド谷部６３には、第一レンズ枠８０の突出部８１が入り込み、その突出部８１がヘリコイド谷部６３に沿って摺動する。また、回転筒６０の後方側の部位と第二直進筒７０の後方側の部位にも、上述の嵌合部４４および噛合部５３の間の噛み合いと同様の嵌合部分が存在する。それにより、第二直進筒７０は、回転筒６０に対して前後方向の移動は規制されるが、第二直進筒７０に対して、回転筒６０の回転は規制されない状態となっている。なお、この嵌合部分については、上述の嵌合部４４および噛合部５３の間の噛み合い関係と同様のため、説明を省略する。
【００２５】
また、第二直進筒７０は、第一直進筒４０の内周側に位置すると共に、回転筒６０の外周側に位置する筒状部材である。この第二直進筒７０の後端側の外周面には、係合キー７１が設けられていて、この係合キー７１は第一直進筒４０のキー溝４３に入り込む。それにより、第二直進筒７０は、第一直進筒４０と同様に、前後方向へ移動可能となっている。また、第二直進筒７０の内周面には、第二直進溝７２が設けられていて、この第二直進溝７２には、後述する第一レンズ枠８０の突出キー８２が入り込む。
【００２６】
また、第一レンズ枠８０は、第二直進筒７０の内周側に位置すると共に、回転筒６０の外周側に位置する筒状部材である。この第一レンズ枠８０の内周面のうち後端側の部位には、突出部８１が設けられている。この突出部８１は、回転筒６０のヘリコイド谷部６３に沿って摺動する部分である。一方、第一レンズ枠８０の外周面のうち後端側の部位には、突出キー８２が設けられていて、この突出キー８２は第二直進溝７２に入り込む。そのため、カム筒５０が回転した場合でも、突出キー８２の第二直進溝７２への入り込みにより第一レンズ枠８０は回転しない。しかしながら、突出部８１がヘリコイド谷部６３に入り込んでいることにより、カム筒５０の回転によって第一レンズ枠８０が前後方向に移動する。
【００２７】
また、この第一レンズ枠８０には、第一レンズ群保持部８３が設けられている。第一レンズ群保持部８３は、第一レンズ群Ｌｎ１を保持する部分である。
【００２８】
＜第二レンズ群退避機構１００（本発明の要部）について＞
続いて、本発明の要部である、第二レンズ群退避機構１００の構成について説明する。第二レンズ群退避機構１００は、図１、図２、図４〜図７に示すような第二レンズ群支持枠１１０を有している。第二レンズ群支持枠１１０は、請求項でいうレンズ群支持枠の一例に対応する。この第二レンズ群支持枠１１０は、外周枠部１１１と、内周遮蔽部１１２とを有している。これらのうち、外周枠部１１１は、内周遮蔽部１１２よりも内周側の部分よりも、前後方向に向かって突出している部分である。この外周枠部１１１の外周面からは、カム筒５０のカム溝５４に入り込むカムピン１１１ａが突出している（図６、図７参照）。それにより、第二レンズ群支持枠１１０は、カム溝５４に沿って前後方向への移動がガイドされる。
【００２９】
また、外周枠部１１１の内周側には、内周遮蔽部１１２が設けられている。内周遮蔽部１１２は、外周枠部１１１の内周側を覆っているものの、その径方向中心部分には、中心孔１１２ａが設けられている。そして、この中心孔１１２ａを介して光が第二レンズ群に入り込むことを可能としている。ここで、内周遮蔽部１１２には、退避溝１１２ｂが設けられている。退避溝１１２ｂは、第二レンズ群固定枠１１５を、撮像位置から退避位置に向けて移動させるための溝部分であり、内周遮蔽部１１２を後方側から前方側に向けて、所定の厚みだけ窪ませた部分である。なお、以下の説明においては、第二レンズ群固定枠１１５が撮像位置から退避位置に向けて移動するときの移動方向を、退避移動方向として説明する。
【００３０】
また、外周枠部１１１の内周側には、後述するガイド軸１１４を取り付けるための軸取付部１１１ｂが設けられている。本実施の形態では、図５に示すように、合計４つの軸取付部１１１ｂが設けられていて、それらの軸取付部１１１ｂの取付面（図示省略）は、ガイド軸１１４の軸線方向（退避移動方向）に対して略垂直を為している。
【００３１】
また、外周枠部１１１の外周側には、周方向に沿って複数の切欠部１１１ｃが設けられている（図５においては合計３個）。切欠部１１１ｃは、後述する位置決め部材１１３の延伸部１１３ｂを挿通させるための部分であり、それによって位置決め部材１１３に対する第二レンズ群支持枠１１０の回転が阻止されている。
【００３２】
ここで、図１に示す位置決め部材１１３には、リング状のリング部１１３ａが設けられている。この位置決め部材１１３は、カム筒５０に対しては回転自在に設けられるものの、カム筒５０に対しては前後方向に移動しないように、カム筒５０のフランジ部５２の後面側とリング部１１３ａとが嵌合している。また、このリング部１１３ａの内周側には、図１において前方側に向かって突出する延伸部１１３ｂが設けられている。延伸部１１３ｂは、リング部１１３ａの周方向に沿って、上述した切欠部１１１ｃに対応する本数だけ設けられている。また、リング部１１３ａの外周側かつ後方側の面から径方向外方に向かい、筒係合部１１３ｃが設けられている。筒係合部１１３ｃは、固定筒３０の固定筒直進溝３１に入り込み、かかる入り込みによって、位置決め部材１１３が固定筒３０に対して回転するのが阻止され、ひいては位置決め部材１１３を介して第二レンズ群支持枠１１０が固定筒３０に対して回転するのが阻止される。
【００３３】
図５に示すように、外周枠部１１１のうち、内周遮蔽部１１２よりも後方側の所定部位には、一対のガイド軸１１４が取り付けられている。ガイド軸１１４は、請求項でいうガイド部材の一例に対応する。このガイド軸１１４は、退避移動方向に平行に設けられている。また、一対のガイド軸１１４は、図５に示すように中心孔１１２ａを挟んでほぼ対称となる位置に設けられている。そして、このガイド軸１１４は、後述する外方突出部１１５ｂの貫通孔１１５ｃに挿通している。
【００３４】
また、図５に示すように、上述のガイド軸１１４によって、第二レンズ群固定枠１１５の退避移動方向に沿う移動がガイドされる。第二レンズ群固定枠１１５は、第二レンズ群Ｌｎ２を固定するための固定枠であり、枠部分１１５ａにて第二レンズ群Ｌｎ２を固定している。この第二レンズ群固定枠１１５は、請求項でいうレンズ群固定枠の一例に対応する。また、この枠部分１１５aの側面のうち、前後方向では後方側に、かつ、退避移動方向では収納状態時に光軸Ｌにより近い側面には、外方突出部１１５ｂが設けられている。外方突出部１１５ｂは、図４〜図７に示すように、前後方向および退避移動方向と略直交するように設けられている。
【００３５】
また、外方突出部１１５ｂは、一対のガイド軸１１４の間隔以上の長さに設けられている。そして、この外方突出部１１５ｂの突出の両端側には、貫通孔１１５ｃがそれぞれ設けられている。貫通孔１１５ｃは、上述のガイド軸１１４をそれぞれ挿通させる孔部分である。なお、外方突出部１１５ｂのうち、第一移動支持部材１１７に近接する部位には、ガイド部１１５ｄが設けられていて、一方の貫通孔１１５ｃは、このガイド部１１５ｄを貫通するように設けられている。このような構成により、第二レンズ群固定枠１１５はガイド軸１１４にガイドされて、退避移動方向に移動することを可能としている。
【００３６】
ここで、ガイド部１１５ｄが設けられている一方側の外方突出部１１５ｂには、図５においてガイド部１１５ｄよりも第一移動支持部材１１７側に突出する摺動軸部１１５ｅが設けられている。摺動軸部１１５ｅは、請求項でいう摺動部の一例に対応する。この摺動軸部１１５ｅは、後述する第二傾斜部１１８ｅに沿って摺動する部分であり、その摺動に伴って第二レンズ群固定枠１１５が退避移動方向に移動可能となっている。
【００３７】
また、図５に示すように、ガイド部１１５ｄと、そのガイド部１１５ｄが位置する側のガイド軸１１４が取り付けられる退避側の軸取付部１１１ｂとの間には、付勢バネ１１６が配置されている。この付勢バネ１１６は、請求項でいう第二の付勢手段の一例に対応する。付勢バネ１１６がなすコイル状の孔部分にはガイド軸１１４が挿通されている。そして、この付勢バネ１１６によって、第二レンズ群固定枠１１５には、退避側から離間する向きの付勢力が与えられる。
【００３８】
また、図４〜図７に示すように、第二レンズ群支持枠１１０には、板状の第一移動支持部材１１７が設けられている。第一移動支持部材１１７は、第二レンズ群支持枠１１０のうち外周枠部１１１寄りの部分に設けられていて、その第一移動支持部材１１７の板幅方向は退避移動方向に沿うように設けられている。また、第一移動支持部材１１７の突出方向（板の長さ方向）は、前後方向に沿っている。
【００３９】
ここで、図６および図７に示すように、第一移動支持部材１１７のうち外周枠部１１１に近接している部分には、後方側に最も突出する突出頂部１１７ａが設けられている。そして、第一移動支持部材１１７には、突出頂部１１７ａから退避移動方向に沿って、第一傾斜部１１７ｂが設けられている。第一傾斜部１１７ｂは、請求項でいう第一案内部の一例に対応する。この第一傾斜部１１７ｂは、前後方向および退避移動方向に対して傾斜している。図６および図７においては、第一傾斜部１１７ｂが退避移動方向に対して為す傾斜角度は、略４５度程度に設けられているが、この傾斜角度は略４５度に限られるものではなく、第二移動支持部材の退避移動方向に沿う移動を良好にガイド可能であれば、どのような傾斜角度であっても良い。また、図６および図７に示すように、第一移動支持部材１１７を側面視すると、第一傾斜部１１７ｂは直線状に設けられている。
【００４０】
また、図６および図７に示すように、第一移動支持部材１１７のうち、退避移動方向において突出頂部１１７ａから最も離間する部分には、第一垂直部１１７ｃが設けられている。第一垂直部１１７ｃは、第一移動支持部材１１７のうち前後方向に沿う端面であり、この第一垂直部１１７ｃの存在により第一移動支持部材１１７が不必要に長くならない状態となっている。
【００４１】
また、図４〜図７に示すように、第一移動支持部材１１７に対向するように、第二移動支持部材１１８が設けられている。第二移動支持部材１１８は、上述したスライドガイド部２１によって、退避移動方向に向かうスライドがガイドされるものである。この第二移動支持部材１１８には、前後方向に延びる板状部分１１８ｃから突出する第一嵌合部１１８ａと第二嵌合部１１８ｂとが設けられている。これら第一嵌合部１１８ａと第二嵌合部１１８ｂとは、板状部分１１８ｃのうち光軸Ｌから離間する向きに向かって突出している。図３および図４に示すように、第一嵌合部１１８ａおよび第二嵌合部１１８ｂは、共に略Ｌ字形状に形成されているが、第一嵌合部１１８ａは前方側に向かって開放する第一窪み部１１８ａ１を有していて、第二嵌合部１１８ｂは後方側に向かって開放する第二窪み部１１８ｂ１を有している。そして、第一窪み部１１８ａ１にはレール部２１２ａが嵌まり込むと共に、第二窪み部１１８ｂ１にはレール部２１３ａが嵌まり込む。このようにして、第二移動支持部材１１８のスライドがガイドされる。
【００４２】
また、図６および図７に示すように、第二移動支持部材１１８（板状部分１１８ｃ）の形状は、上述した第一移動支持部材１１７の形状と類似している。すなわち、この第二移動支持部材１１８（板状部分１１８ｃ）には、突出頂部１１８ｄ、第二傾斜部１１８ｅおよび第二垂直部１１８ｆが設けられている。しかしながら、突出頂部１１８ｄは、第二移動支持部材１１８のうち本体部２０から離間する側（前方側）に突出する部分である、という点で、突出頂部１１７ａとは突出の向きが逆となっている。なお、この突出頂部１１８ｄは請求項でいう当接部の一例に対応し、第二傾斜部１１８ｅは請求項でいう第二案内部の一例に対応する。また、第二傾斜部１１８ｅも、第二移動支持部材１１８を側面視した場合に直線状となるように設けられているが、この第二傾斜部１１８ｅは、退避側に向かうにつれて、後方側に向かうように設けられている。図６および図７においては、第二傾斜部１１８ｅが退避移動方向に対して為す傾斜角度は、略４５度程度に設けられているが、この傾斜角度は略４５度に限られるものではなく、第一移動支持部材１１７の退避移動方向に沿う移動を良好にガイド可能であれば、どのような傾斜角度であっても良い。
【００４３】
また、第二垂直部１１８ｆは、第二移動支持部材１１８のうち、退避移動方向において突出頂部１１８ｄから最も離間する部分であり、前後方向に沿うように形成された端面である。この第二垂直部１１８ｆは、第二レンズ群固定枠１１５が退避位置に位置する場合には、第二レンズ群固定枠１１５の枠部分１１５ａと接触する。なお、第二移動支持部材１１８のうち、突出頂部１１８ｄに隣接すると共に第二垂直部１１８ｆに平行となる端面を、第三垂直部１１８ｇとする。
【００４４】
また、第二移動支持部材１１８には、光軸Ｌから離間する向きに向かい、板状部分１１８ｃから突出するバネ受部１１８ｈが設けられている。バネ受部１１８ｈは、戻しバネ１１９の一端側が取り付けられる部分である。戻しバネ１１９は、請求項でいう第一の付勢手段の一例に対応する。この戻しバネ１１９は、図６および図７に示すように退避移動方向に沿うように設けられている。また、この戻しバネ１１９の他端側は、本体部２０に取付固定されている。そして、この戻しバネ１１９により、第二移動支持部材１１８には、突出頂部１１８ｄが突出頂部１１７ａに近づかせる向きの付勢力が与えられる。
【００４５】
＜動作について＞
以上のような構成を有するレンズ収納機構１０およびこのレンズ収納機構１０を用いた光学撮像装置１１のうち、第二レンズ群退避機構１００の動作について、以下に説明する。
【００４６】
図８（Ａ）に示すように、第二レンズ群固定枠１１５（第二レンズ群Ｌｎ２）が退避位置に移動する前の状態では、第二レンズ群固定枠１１５（第二レンズ群Ｌｎ２）は、撮像位置に位置している。この撮像位置は、第二レンズ群Ｌｎ２の中心が光軸Ｌに沿う位置となっていて、第２レンズ群Ｌｎ２を通過した光は第三レンズ群Ｌｎ３を介して、受光素子９１で受光させられる。このとき、第二移動支持部材１１８の突出頂部１１８ｄは、第一移動支持部材１１７の第一傾斜部１１７ｂから離れていると共に、戻しバネ１１９の付勢力によって、第二移動支持部材１１８は退避位置から離間する離間位置に位置させられている。
【００４７】
この状態から、不図示のモータの駆動によってカム筒５０が収納方向に回転させられる場合、位置決め部材１１３の筒係合部１１３ｃが固定筒３０の固定筒直進溝３１に入り込み、さらに位置決め部材１１３の延伸部１１３ｂが第二レンズ群支持枠１１０の切欠部１１１ｃに入り込んでいるため、第二レンズ群支持枠１１０は回転しない。しかしながら、第二レンズ群支持枠１１０のカムピン１１１ａは、カム溝５４に入り込んでいるため、このカムピン１１１ａのカム溝５４でのガイドによって、第二レンズ群支持枠１１０が後方側に向かう移動が開始させられる。
【００４８】
このとき、第二レンズ群固定枠１１５（第二レンズ群Ｌｎ２）は、ガイド軸１１４を介して第二レンズ群支持枠１１０に取り付けられているため、第二レンズ群固定枠１１５（第二レンズ群Ｌｎ２）の第二レンズ群支持枠１１０に対する前後方向の位置は変わらない。一方、図８（Ｂ）に示すように、第二レンズ群固定枠１１５（第二レンズ群Ｌｎ２）は後方側に向かうため、摺動軸部１１５ｅは第二移動支持部材１１８の第二傾斜部１１８ｅに当接する。そして、この当接状態から、さらにモータが駆動して、第二レンズ群支持枠１１０が後方側に向かって移動させられると、摺動軸部１１５ｅが後方側に向かって移動しようする。その移動に際しては、摺動軸部１１５ｅは第二傾斜部１１８ｅにガイドされ、摺動軸部１１５ｅと一体的な第二レンズ群固定枠１１５が、付勢バネ１１６の付勢力に抗しながらガイド軸１１４に沿って退避位置に向かって移動を開始する。すなわち、図８（Ｂ）に示す状態から図８（Ｃ）に示す状態へと、順次移行していく。なお、図８（Ｃ）に示す状態においては、第二レンズ群固定枠１１５は、中心孔１１２ａから外れた（光軸Ｌに沿って前方側から第二レンズ群支持枠１１０を見ると、第二レンズ群固定枠１１５が中心孔１１２ａから見えない）状態となっている。
【００４９】
また、摺動軸部１１５ｅの第二傾斜部１１８ｅへの当接に前後して、突出頂部１１８ｄが第一移動支持部材１１７の第一傾斜部１１７ｂに当接する。そして、この当接状態から、さらにモータが駆動して、第二レンズ群支持枠１１０が後方側に向かって移動させられると、第一移動支持部材１１７が後方側に向かって移動しようする。その移動に際しては、突出頂部１１８ｄは第一傾斜部１１７ｂにガイドされるため、第二移動支持部材１１８が戻しバネ１１９の付勢力に抗しながら、スライドガイド部２１にガイドされて、退避位置側に向かって移動を開始する。その移動は、まず図８（Ｂ）に示す状態となり、その後に図８（Ｃ）に示す状態となる。
【００５０】
そして、図９（Ａ）に示すように、摺動軸部１１５ｅが第二傾斜部１１８ｅの退避位置側の端部に到達してもなお、第二レンズ群支持枠１１０が後方側に向かって移動させられると、摺動軸部１１５ｅは第二傾斜部１１８ｅから第二垂直部１１８ｆへと移動する。この状態に前後して、上述の第二レンズ群支持枠１１０の移動により、突出頂部１１８ｄは第一傾斜部１１７ｂから外れ、代わりに第三垂直部１１８ｇのうち突出頂部１１８ｄに近い部分が、第一垂直部１１７ｃへ当接する。ここで、図９（Ａ）から明らかなように、摺動軸部１１５ｅが第二垂直部１１８ｆに位置し、第三垂直部１１８ｇが第一垂直部１１７ｃと当接する場合には、第二移動支持部材１１８および第二レンズ群固定枠１１５は、これ以上、図９（Ａ）において左側には移動しない状態となる。すなわち、図９（Ａ）の状態の場合、退避移動方向においては、第二レンズ群固定枠１１５は、退避位置に到達した状態となる。
【００５１】
そして、図９（Ａ）の状態から、図９（Ｂ）に示す状態へと移行する。すなわち、第二レンズ群支持枠１１０が後方側に向かってさらに移動させられると、第一垂直部１１７ｃが第三垂直部１１８ｇに沿って後方側に移動し、その後、第二レンズ群支持枠１１０の前後方向における収納位置まで移動させられて、第二レンズ群支持枠１１０の後方側への移動が停止させられる。以上のようにして、第二レンズ群固定枠１１５は、前後方向においても、退避位置に到達した状態となる。
【００５２】
また、第二レンズ群支持枠１１０が退避位置から撮像位置へと向かう場合の動作は、上述した退避位置へ向かう移動とは逆となる。すなわち、図９（Ｂ）から順次、図９（Ａ）、図８（Ｃ）、図８（Ｂ）へと移行し、最後に図８（Ａ）へと移行して、第二レンズ群支持枠１１０の撮像位置への移動が終了する。
【００５３】
＜効果＞
以上のような構成のレンズ収納機構１０およびこのレンズ収納機構１０を用いた光学撮像装置１１によれば、カム筒５０の回転への移動に伴って第二レンズ群支持枠１１０が後方側へ移動させられると、突出頂部１１８ｄが第一傾斜部１１７ｂに沿って摺動し、それによって第二移動支持部材１１８が退避位置に向けて移動させられる。さらに、この第二移動支持部材１１８の退避位置へ向かう移動によって、摺動軸部１１５ｅが第一傾斜部１１７ｂに沿って摺動し、それによって第二レンズ群固定枠１１５が退避位置に向けて移動させられる。
【００５４】
そのため、部品点数が少ないながらも、簡単な構成で第二レンズ群Ｌｎ２を、退避位置に向けて移動させることが可能となる。また、退避位置に向かう移動量を、十分に確保することが可能となる。
【００５５】
ここで、本実施の形態におけるレンズ収納機構１０に対する比較例となるレンズ収納機構の構成および動作を、図１０および図１１に示す。なお、本実施の形態におけるレンズ収納機構１０と比較例に係るレンズ収納機構の動作の対応関係について述べると、図８（Ａ）に対応する動作（位置関係）は図１０（Ａ）であり、図８（Ｂ）に対応する動作（位置関係）は図１０（Ｂ）であり、図８（Ｃ）に対応する動作（位置関係）は図１０（Ｃ）であり、図９（Ａ）に対応する動作（位置関係）は図１１（Ａ）であり、図１１（Ｂ）に対応する動作（位置関係）は図１１（Ｂ）となっている。
【００５６】
図１０および図１１に示す構成では、本実施の形態における第二移動支持部材１１８に相当する部材が存在するが、かかる部材は本体部に固定されている。また、図１０および図１１においては第一移動支持部材１１７に相当する構成は存在していない。そのため、第二レンズ群Ｌｎ２が退避位置に向かう移動量が十分に確保できない。そのため、かかる図  における構成では、別途の移動機構と組み合わせ、かかる別途の移動機構によって第二レンズ群Ｌｎ２の退避位置側への移動量を確保する必要がある。
【００５７】
しかしながら、本実施の形態における構成では、上述したような摺動関係によって第二レンズ群Ｌｎ２の移動量を十分に確保できるため、別途の移動機構を設ける必要がなく、構成を簡単なものとすることが可能となる。また、部品点数が少なくなり構成が簡単なものとなるため、コストを低減させることが可能となる。
【００５８】
また、本実施の形態では、図６および図７に示すように、第一移動支持部材１１７には第一傾斜部１１７ｂが設けられ、第二移動支持部材１１８には第二傾斜部１１８ｅが設けられ、さらに第二レンズ群固定枠１１５には摺動軸部１１５ｅが設けられている。そのため、第一傾斜部１１７ｂに対して突出頂部１１８ｄをスムーズに摺動させることが可能となり、第二傾斜部１１８ｅに対して摺動軸部１１５ｅをスムーズに摺動させることが可能となる。特に、第一傾斜部１１７ｂおよび第二傾斜部１１８ｅを側面視した場合に直線状に設けられているため、スムーズな摺動を行わせることが可能となっている。
【００５９】
さらに、本実施の形態では、第一移動支持部材１１７の退避位置側には、第一傾斜部１１７ｂに隣接して第一垂直部１１７ｃが設けられていて、第二移動支持部材１１８の退避位置から離間する側には第二垂直部１１８ｆが設けられ、さらに第二移動支持部材１１８の退避位置側には第三垂直部１１８ｇが設けられている。このため、第一移動支持部材１１７および第二移動支持部材１１８が不必要に長くならなくなり、第二レンズ群Ｌｎ２の退避移動に最適な第一移動支持部材１１７および第二移動支持部材１１８とすることが可能となる。
【００６０】
また、本実施の形態では、第二移動支持部材１１８には、戻しバネ１１９によって退避位置から離間する向きの付勢力が与えられると共に、第二レンズ群固定枠１１５には、付勢バネ１１６によって退避位置から離間する向きの付勢力が与えられる。そのため、第二レンズ群Ｌｎ２の退避位置へ向かう移動のみならず、戻しバネ１１９および付勢バネ１１６の付勢力により、第二レンズ群Ｌｎ２を退避位置から撮像位置に向けて移動させることが可能となる。そのため、第二レンズ群Ｌｎ２を撮像位置に向けて移動させるための、別途の移動機構が不要となる。
【００６１】
以上、本発明の一実施の形態について説明したが、本発明は上述の形態に限定されることなく、種々変形した形態にて実施可能である。以下、それについて説明する。
【００６２】
上述の実施の形態では、レンズ収納機構１０によって退避位置に移動させられるレンズ群、このレンズ群を固定するレンズ群固定枠、およびこのレンズ群固定枠と対向するレンズ群支持枠として、第二レンズ群Ｌｎ２、第二レンズ群固定枠１１５および第二レンズ群支持枠１１０を挙げている。しかしながら、レンズ群、このレンズ群を固定するレンズ群固定枠、およびこのレンズ群固定枠と対向するレンズ群支持枠としては、第二レンズ群Ｌｎ２、第二レンズ群固定枠１１５および第二レンズ群支持枠１１０に限られるものではない。たとえば第四レンズ群まで具備するものであれば、その内部に存在する第二レンズ群と第三レンズ群のうちの少なくとも１つが退避位置に向けて移動するものについても本発明を適用可能であるように、第Ｎレンズ群まで具備するものであれば、その内部に存在する第二レンズ群から第Ｎ−１レンズ群までのうちの少なくとも１つが１つが退避位置に向けて移動するものについても本発明を適用可能である。
【００６３】
また、上述の実施の形態において、第一移動支持部材１１７の第一傾斜部１１７ｂは、たとえば厚み方向の中央側が凹となる形状として、突出頂部１１８ｄが第一傾斜部１１７ｂに衝突するのをガイドするようにしても良い。
【００６４】
さらに、上述の実施の形態では、第一傾斜部１１７ｂおよび第二傾斜部１１８ｅを側面視した場合に、その形状が直線状に設けられている。しかしながら、第一傾斜部１１７ｂおよび第二傾斜部１１８ｅを側面視したときの形状は、直線形状に限られるものではなく、種々の曲線形状とすることも勿論可能である。ここで、本実施の形態においては、戻しバネ１１９および付勢バネ１１６のバネ力は、それらのバネが伸びるにつれて大きくなる。そのため、バネ力が弱いときに大きく移動させるようにし、バネ力が強くなるにつれて移動量を少なくするように、第一傾斜部１１７ｂおよび第二傾斜部１１８ｅを形成しても良い。
【符号の説明】
【００６５】
１０…レンズ収納機構、１１…光学撮像装置、２０…本体部、２１…スライドガイド部、２５…第三レンズ保持枠、３０…固定筒、４０…第一直進筒、５０…カム筒、６０…回転筒、７０…第二直進筒、８０…第一レンズ枠、９０…撮像部、９１…受光素子、１００…第二レンズ群退避機構、１１０…第二レンズ群支持枠（レンズ群支持枠の一例に対応）、１１１ａ…カムピン、１１１…外周枠部、１１１ｂ…軸取付部、１１１ｃ…切欠部、１１２…内周遮蔽部、１１２ａ…中心孔、１１２ｂ…退避溝、１１３…位置決め部材、１１３ｃ…筒係合部、１１４…ガイド軸（ガイド部材の一例に対応）、１１５…第二レンズ群固定枠（レンズ群固定枠の一例に対応）、１１５ｂ…外方突出部、１１５ｃ…貫通孔、１１５ｄ…ガイド部、１１５ｅ…摺動軸部（摺動部の一例に対応）、１１６…付勢バネ（第二の付勢手段の一例に対応）、１１７…第一移動支持部材、１１７ｂ…第一傾斜部（第一案内部の一例に対応）、１１７ｃ…第一垂直部、１１８…第二移動支持部材、１１８ａ…第一嵌合部、１１８ｂ…第二嵌合部、１１８ｃ…板状部分、１１８ｄ…突出頂部（当接部の一例に対応）、１１８ｅ…第二傾斜部（第二案内部の一例に対応）、１１８ｇ…第三垂直部、１１８ｈ…バネ受部、１１８ａ１…第一窪み部、１１８ｂ１…第二窪み部、１１９…戻しバネ（第一の付勢手段の一例に対応）、２１１…立設部、２１２…第一嵌合部、２１２ａ，２１３ａ…レール部、２１３…第二嵌合部、Ｌ…光軸、Ｌｎ１…第一レンズ群、Ｌｎ２…第二レンズ群（請求項でいうレンズ群の一例に対応）、Ｌｎ３…第三レンズ群
【図１】
0005707121.tif 000002
【図２】
0005707121.tif 000003
【図３】
0005707121.tif 000004
【図４】
0005707121.tif 000005
【図５】
0005707121.tif 000006
【図６】
0005707121.tif 000007
【図７】
0005707121.tif 000008
【図８】
0005707121.tif 000009
【図９】
0005707121.tif 000010
【図１０】
0005707121.tif 000011
【図１１】
0005707121.tif 000012